(57)【要約】      （修正有）【課題】経口補水液を家庭でも簡単に作ることができるようになる、熱中症や隠れ脱水の予防に寄与する専用材料計量スプーンを提供する。【解決手段】経口補水液を作る為の専用材料計量スプーンであって、砂糖を計量するための砂糖用スプーン１と、食塩を計量するための食塩用スプーン２と砂糖用スプーン１と食塩用スプーン２とを連結する連結棒３からなる。【選択図】図１
0003201792.tif 000002
【実用新案登録請求の範囲】
【請求項１】
水道水に砂糖（上白糖）と塩とを分量を間違わないようにできるだけ正確に指定の計量スプーンで計り、混合し、攪拌若しくは振動を与えて混ぜ合わせたことを特徴とする５００ｍｌの経口補水液を作る為の専用材料計量スプーン。
【請求項２】
経口補水液用の材料計量スプーンの大さじで砂糖（上白糖）１０ｇ〜２０ｇ、一方の小さじで食塩１．５ｇ（できるだけ正確に）を、水道水５００ミリリットルに溶解して作る飲料として構成された経口補水液を特徴とする請求項１記載の５００ｍｌの経口補水液を作る為の専用材料計量スプーン。
【請求項３】
本考案の経口補水液は冷蔵庫で冷し、その日のうちに飲みきることを特徴とする請求項１に記載の５００ｍｌの経口補水液を作る為の専用材料計量スプーン。
【請求項４】
本考案の経口補水液計量スプーンは合成樹脂または安価なリサイクル合成樹脂を再利用した請求項１記載の５００ｍｌの経口補水液を作る為の専用材料計量スプーン。
【考案の詳細な説明】
【技術分野】
【０００１】  本考案は、水分補給を目的とする経口補水液作りに対応する道具に関するものである。
【背景技術】
【０００２】  ＯＲＳ（Ｏｒａｌ  Ｒｅｈｙｄｒａｔｉｏｎ  Ｓｏｌｕｔｉｏｎ）即ち経口補水液は、熱中症や隠れ脱水の予防や治療に必要な水分補給の為の頼れる飲料である。ＷＨＯ（世界保健機関）のガイドラインにも成分・組成が紹介され、世界中で使用されている。この経口補水液は体内への水分の吸収が良好にされるようにした飲料である。
経口補水液は何処の家庭にもある砂糖と塩と水道水があれば作ることが可能だと提唱さえている。そこで、容易に手に入る市販の５００ｍｌ入りの飲料の空ボトルを利用して簡便に経口補水液を作ることができる材料計量スプーンを考案した。５００ｍｌ入りの経口補水液を家庭で作るに当たり、より手軽に、簡単に、間違いなく使用する材料である砂糖と塩の分量を量ることが出来る計量スプーンがあれば、誰でも簡単に作り飲むことが出来るようになり、熱中症や隠れ脱水の予防に寄与すると考える。
近年、日本では熱中対策用としてペットボトルに各種異なった成分の入った経口補水液が５００ｍｌ×２４本入りでネット上で多数販売されるようになった。
しかし、頻繁に使用する場合はかかるコストも馬鹿にならないため、全ての人が市販のものを購入して使用できるとは限らない。
そこで、市販の経口補水液が手に入らない時、緊急の際にも、家庭内で簡単に簡易経口補水液を作れる道具を安価に普及させることによって、経口補水液の存在を今以上に知らしめ、熱中症や隠れ脱水症の予防に利用してもらえるように寄与する専用計量スプーンを提供しようと開発した。【０００３】  家庭での簡易型経口補水液の作り方は、ＷＨＯのガイドラインに順ずるが、表記は１リットルに対してのレシベとなっているため、個人では使い勝手が悪い。より身近に、使い勝手をよくするには、市販されており容易に手に入る５００ｍｌのペットボトルが空いたものを使用上することではないかと考えた。
そこで５００ｍｌの水道水に対し、砂糖（上白糖）１０ｇ（〜２０ｇ・自分の飲みやすい味に調整可能）と塩１．５ｇ（なるべく正確に）分量を間違わないように、出来るだけ正確に考案の計量スプーンで測り混合し、ペットボトルに納めて冷蔵庫で冷やし、その日のうちに飲みきる経口補水液を作ることを主眼に置いた。考案の計量スプーンは、大さじで砂糖を計る、大さじ１杯が１０ｇとなる。ＷＨＯのガイドラインに換算すると１０ｇ〜２０ｇとなっているため、各自が飲みやすい味を見つけて砂糖の量を調整することが出来る。最低１杯以上２杯以下となる。小さじでは塩を計る。塩は小さじ１杯で１．５ｇを測り取ることが出来、量は指定される専用計量スプーンとする。それらを５００ｍｌの水道水に溶かす。
【先行技術】
【０００４】
【特許文献１】  特許第５６０８２２７号
【考案の概要】
【考案が解決しようとする課題】
【０００５】  本考案は、水分補給の強い見方、経口補水液５００ｍｌを家庭で簡単に間違いなく作ることができるように、材料をより正確に計る専用計量スプーンを提供するものである。これを使えば、熱中症、または、隠れ脱水の予防に有効な経口補水液を、誰でもある程度正確に作ることができる。又、家庭でも経口補水液を簡単に作れる道具があることで、熱中症や隠れ脱水の予防習慣が身近になることを期待するものであります。
【課題を解決するための手段】
【０００５】  夏季の暑い時期、又は、緊急の際や日常的に、熱中症や隠れ脱水症の予防のために、家庭内で簡単に簡易経口補水液を作れる道具を安価に普及させることによって、熱中症や隠れ脱水症の予防に寄与することができる計量スプーンとなる。形状の大さじと小さじが一体型になっているため、収納性にも優れ、材料を計るときにも間違えにくく便利である。砂糖と（上白糖）と塩とを分量を間違わず、できるだけせいかくにしていの計量スプーンで計り、レモン等を適宜加えて味を好みに調節して水道水と混合し冷蔵庫で冷やし、その日のうちに飲みきることが肝要であり、効果を損なわないために、材料は指定どおり冷蔵庫に保管し溶解することと、ボトルは呑み口に菌が繁殖しやすいので冷蔵庫に保管、その日のうちに飲みきることが肝要とされる所以であります。
【考案の効果】
【０００６】  上述のしたように、本考案で作った経口補膵液は、熱中症や隠れ脱水症の予防や治療に有効なもので、市販の経口補水液が手に入らない時、緊急の際、又は、日常的に予防として常用したい場合など、家庭内で簡単に経口補水液を作れるので経済的にも安価で済み、常に準備することが容易になる。そのため、効果的な水分の補給と熱中症や隠れ脱水の予防に大いに有益となる。
【図面の簡単な説明】
【０００７】
【図１】本考案の正面図である。
【図２】本考案の右側面図である。
【図３】本考案の左側面図である。
【図４】本考案の平面図である。
【図５】本考案の裏面図である。
【図６】本考案の実施した代行写真である。
【図７】本考案の経口補水液の製造工程の参考説明図。（１リットルを製造する場合のレシピです）
【考案を実施するための形態】
【０００８】  次に本考案の実施形態について説明する。
経口補水液用の計量スプーンの大さじで砂糖（上白糖）１０〜２０ｇ（１杯以上２杯以下、好みも味に調整可）を、一方の小さじで食塩３１．５ｇ（１杯をできるだけ正確に）を、水道水５００ｍｌ（レモン等を適宜加えて味を調整可）にようぁおしてペットボトルに入れて完成する。大さじは砂糖１０ｇ、小さじは塩１．５ｇが計量できる２つの計量スプーンで構成された経口補水液製作専用計量スプーンです。
【符号の説明】
【０００９】１  大さじ：砂糖用スプーン：１杯で１０ｇ調度を計量できる。
２  小さじ：食塩用スプーン：１杯で１．５ｇ調度を計量できる。
３  連結棒（５００ｍｌの経口補水液をせいぞうするためのレシベ、ノベルティとした場合の企業名またはキャラクター等を印刷することが可能なスペースになる。）大さじと小さじが一体型になっていることにより、収納性にも優れ、計量する場合もひとつの道具でよいため、間違いが少なくなり手間が要らない小さじの部分は拡販のマドラーとしても使用可能である。（砂糖と塩を別容器でお湯を用いて溶かしやすくして作る場合など、攪拌するのにそのまま使用できる為、便利である。）
【図１】
0003201792.tif 000003
【図２】
0003201792.tif 000004
【図３】
0003201792.tif 000005
【図４】
0003201792.tif 000006
【図５】
0003201792.tif 000007
【図６】
0003201792.tif 000008
【図７】
0003201792.tif 000009
【手続補正書】
【提出日】平成27年8月21日(2015.8.21)
【手続補正１】
【補正対象書類名】明細書
【補正対象項目名】全文
【補正方法】変更
【補正の内容】
【考案の詳細な説明】
【技術分野】
【０００１】  本考案は、水分補給を目的とする経口補水液作りに対応する道具に関するものである。
【背景技術】
【０００２】  ＯＲＳ（Ｏｒａｌ  Ｒｅｈｙｄｒａｔｉｏｎ  Ｓｏｌｕｔｉｏｎ）即ち経口補水液は、熱中症や隠れ脱水の予防や治療に必要な水分補給の為の頼れる飲料である。ＷＨＯ（世界保健機関）のガイドラインにも成分・組成が紹介され、世界中で使用されている。この経口補水液は体内への水分の吸収が良好にされるようにした飲料である。
経口補水液は何処の家庭にもある砂糖と塩と水道水があれば作ることが可能だと提唱されている。そこで、容易に手に入る市販の５００ｍｌ入りの飲料の空ボトルを利用して簡便に経口補水液を作ることができる材料計量スプーンを考案した。５００ｍｌ入りの経口補水液を家庭で作るに当たり、より手軽に、簡単に、間違いなく使用する材料である砂糖と塩の分量を量ることが出来る計量スプーンがあれば、誰でも簡単に作り飲むことが出来るようになり、熱中症や隠れ脱水の予防に寄与すると考える。
近年、日本では熱中症対策用としてペットボトルに各種異なった成分の入った経口補水液が５００ｍｌ×２４本入り等でネット上で多数販売されるようになった。
しかし、頻繁に使用する場合はかかるコストも馬鹿にならないため、全ての人が市販のものを購入して使用できるとは限らない。
そこで、市販の経口補水液が手に入らない時、緊急の際にも、家庭内で簡単に簡易経口補水液を作れる道具を安価に普及させることによって、経口補水液の存在を今以上に知らしめ、熱中症や隠れ脱水の予防に利用してもらえるように寄与する専用計量スプーンを提供しようと開発した。【０００３】  家庭での経口補水液の作り方は、ＷＨＯのガイドラインに順ずるが、表記は１リットルに対してのレシピとなっているため、個人では使い勝手が悪い。
より身近に、使い勝手をよくするには、市販されており容易に手に入る５００ｍｌのペットボトルが空いたものを使用することではないかと考えた。
そこで５００ｍｌの水道水に対し、砂糖（上白糖）１０ｇ（〜２０ｇ・自分の飲みやすい味に調整可能）と塩１．５ｇ（なるべく正確に）とを分量を間違わないように、出来るだけ正確に考案の計量スプーンで測り混合し、ペットボトルに納めて冷蔵庫で冷やし、その日のうちに飲みきる経口補水液を作ることを主眼に置いた。
考案の計量スプーンは、大さじで砂糖を計る。大さじ１杯が１０ｇとなる。ＷＨＯのガイドラインに換算すると１０ｇ〜２０ｇとなっているため、各自が飲みやすい味を見つけて砂糖の量を調整することが出来る。従って砂糖は最低１杯以上２杯以下となる。小さじでは塩を計る。塩は小さじ１杯で１．５ｇを測り取ることが出来る。量は指定される専用計量スプーン１杯とする。それらを５００ｍｌの水道水に溶かす。
【先行技術】
【０００４】
【特許文献１】  特許第５６０８２２７号
【考案の概要】
【考案が解決しようとする課題】
【０００５】  本考案は、水分補給の強い見方、経口補水液５００ｍｌを家庭で簡単に間違いなく作ることができるように、材料をより正確に計る専用計量スプーンを提供するものである。これを使えば、熱中症、または、隠れ脱水の予防に有効な経口補水液を、誰でもある程度正確に作ることができる。又、家庭でも経口補水液を簡単に作れる道具があることで、熱中症や隠れ脱水の予防習慣が身近になることを期待するものであります。
【課題を解決するための手段】
【０００６】  夏季の暑い時期、又は、緊急の際や日常的に、熱中症や隠れ脱水の予防のために、家庭内で簡単に経口補水液を作れる道具を安価に普及させることによって、熱中症や隠れ脱水の予防に寄与することができる計量スプーンとなる。
形状の大さじと小さじが一体型になっているため、収納性にも優れ、材料を計るときにも間違えにくく便利である。砂糖（上白糖）と塩とを分量を間違わず、できるだけ正確に指定の計量スプーンで計り、レモン等を適宜加えて味を好みに調節して水道水と混合し冷蔵庫で冷やし、その日のうちに飲みきることが肝要であり、効果を損なわないために、材料は指定どおり溶解することと、ボトルは呑み口に菌が繁殖しやすいので冷蔵庫に保管、その日のうちに飲みきることが肝要とされる所以であります。
【考案の効果】
【０００７】  上述のように、本考案で作った経口補水液は、熱中症や隠れ脱水の予防や治療に有効なもので、市販の経口補水液が手に入らない時、緊急の際、又は、日常的に予防として常用したい場合など、家庭内で簡単に経口補水液を作れるので経済的にも安価で済み、常に準備することが容易になる。そのため、効果的な水分の補給と熱中症や隠れ脱水の予防に大いに有益となる。
【図面の簡単な説明】
【０００８】
【図１】本考案の正面図である。
【図２】本考案の右側面図である。
【図３】本考案の左側面図である。
【図４】本考案の平面図である。
【図５】本考案の裏面図である。
【図６】本考案の実施した代行写真である。
【図７】本考案の経口補水液の製造工程の参考説明図。（１リットルを製造する場合のレシピです）
【考案を実施するための形態】
【０００９】  次に本考案の実施形態について説明する。
経口補水液用の計量スプーンの大さじで砂糖（上白糖）１０〜２０ｇ（１杯以上２杯以下、好みの味に調整可）を、一方の小さじで食塩１．５ｇ（１杯をできるだけ正確に）を、水道水５００ｍｌ（レモン等を適宜加えて味を調整可）に溶解してペットボトルに入れて完成する。大さじは砂糖１０ｇ、小さじは塩１．５ｇが計量できる２つの計量スプーンで構成された経口補水液製作専用材料計量スプーンです。
【符号の説明】
【００１０】１  大さじ：砂糖用スプーン：１杯で１０ｇ調度を計量できる。
２  小さじ：食塩用スプーン：１杯で１．５ｇ調度を計量できる。
３  連結棒（５００ｍｌの経口補水液を製造するためのレシピ、ノベルティとした場合の企業名またはキャラクター等を印刷することが可能なスペースになる。）大さじと小さじが一体型になっていることにより、収納性にも優れ、計量する場合もひとつの道具でよいため、間違いが少なくなり手間が要らない。小さじの部分は攪拌する為のマドラーとしても使用可能である。（砂糖と塩を別容器でお湯を用いて溶かしやすくして作る場合など、攪拌するのにそのまま使用できる為、便利である。）
【手続補正２】
【補正対象書類名】図面
【補正対象項目名】全図
【補正方法】変更
【補正の内容】
【図１】
0003201792.tif 000010
【図２】
0003201792.tif 000011
【図３】
0003201792.tif 000012
【図４】
0003201792.tif 000013
【図５】
0003201792.tif 000014
【図６】
0003201792.tif 000015
【図７】
0003201792.tif 000016
【手続補正４】
【補正対象書類名】実用新案登録請求の範囲
【補正対象項目名】全文
【補正方法】変更
【補正の内容】
【実用新案登録請求の範囲】
【請求項１】
水に砂糖（上白糖）と塩とを分量を間違わないようにできるだけ正確に指定の計量スプーンで計り、混合し、攪拌若しくは振動を与えて混ぜ合わせたことを特徴とする５００ｍｌの経口補水液を作る為の専用材料計量スプーン。
【請求項２】
経口補水液用の材料計量スプーンの大さじで砂糖（上白糖）１０ｇ〜２０ｇ、一方の小さじで食塩１．５ｇ（できるだけ正確に）を、水道水５００ミリリットルに溶解して作る飲料として構成された経口補水液を特徴とする請求項１記載の５００ｍｌの経口補水液を作る為の専用材料計量スプーン。
【請求項３】
本考案の経口補水液は冷蔵庫で冷し、その日のうちに飲みきることを特徴とする請求項１に記載の５００ｍｌの経口補水液を作る為の専用材料計量スプーン。
【請求項４】
本考案の経口補水液計量スプーンは合成樹脂または安価なリサイクル合成樹脂を再利用した請求項１記載の５００ｍｌの経口補水液を作る為の専用材料計量スプーン。
【手続補正書】
【提出日】平成27年10月6日(2015.10.6)
【手続補正１】
【補正対象書類名】実用新案登録請求の範囲
【補正対象項目名】全文
【補正方法】変更
【補正の内容】
【実用新案登録請求の範囲】
【請求項１】
経口補水液を作る為の専用材料計量スプーンであって、砂糖を計量するための砂糖用スプーンと、食塩を計量するための食塩用スプーンと砂糖用スプーンと食塩用スプーンとを連結する連結棒からなることを特徴とする専用材料計量スプーン。
【請求項２】
前記専用材料計量スプーンは、５００ｍｌの経口補水液を作る為の專用材料計量スプーンであり、前記砂糖用スプーンは、１０〜２０ｇの砂糖を計量するための容量を有し、前記食塩用スプーンは、１．５ｇの食塩を計量するための容量を有することを特徴とする、請求項１記載の専用材料計量スプーン。
【請求項３】
材質として、合成樹脂またはリサイクル合成樹脂を用いたことを特徴とする、請求項１記載の専用材料計量スプーン。